(57)【要約】【課題】発射装置からの遊技球を遊技領域の上方部に誘導する遊技球誘導部の一部を遊技盤の後面側に設けた弾球遊技機において、遊技球を遊技盤の後面から前面に安定して誘導できるようにとするとともに、広く遊技領域を確保できるようにする。【解決手段】遊技球誘導部１０を、発射装置１６０からの遊技球を上方に誘導する第１誘導部１０ａと、遊技領域１ａの中央方向に誘導する第２誘導部１０ｂとから構成し、第１誘導部１０ａを遊技盤１の後面側に配設する。また、第２誘導部１０ｂに遊技球を遊技盤１の前面側に誘導する蛇行誘導部４３を形成し、遊技球が第２誘導部１０ｂの外側壁に接触しながら安定して進行するようにする。さらに、第１誘導部１０ａを遊技盤１の後面側に配設し、第２誘導部１０ｂで遊技球を遊技盤１の前面側に導くようにし、遊技球誘導部１０が遊技盤１の前面に突出する部分をなるべく上部にして、広く遊技領域１ａを確保する。【選択図】図７
2007215736.tif 000002
【特許請求の範囲】
【請求項１】
前面側に遊技領域が形成された遊技盤と、該遊技盤の下方に配設されて遊技領域に向けて遊技球を発射する発射装置と、を備え、該遊技盤に該発射装置から発射された遊技球を遊技領域の上方部に誘導する遊技球誘導部を備えた弾球遊技機において、
前記遊技球誘導部は、
前記遊技盤の側方部に設けられ、前記発射装置から発射された遊技球を上方に誘導する第１誘導部と、
前記第１誘導部の上端部と連通し、該第１誘導部からの遊技球を遊技領域の中央方向に誘導する湾曲状の第２誘導部と、
を備え、
前記第１誘導部は前記遊技盤の後面側に配設し、
前記第２誘導部は、前記遊技盤の前面側に配設されて遊技球を前記遊技領域に流出する遊技球流出口を有し、前記第１誘導部からの遊技球を遊技盤の前面側に誘導するように前後に蛇行した蛇行誘導部を有することを特徴とする弾球遊技機。
【請求項２】
前記第１誘導部における前後方向の所定範囲を遊技盤の後面に埋設したことを特徴とする請求項１に記載の弾球遊技機。
【請求項３】
前記第１誘導部の前方壁部に金属板を設け、該金属板をアースしたことを特徴とする請求項１または請求項２に記載の弾球遊技機。
【請求項４】
前記第２誘導部は、遊技盤に形成された開口部に挿入される貫通流路構成部材と、前記貫通流路構成部材の前面側に配設されるとともに前記遊技領域から前方に突出状態で設けられる流出口形成部材とから構成し、
前記流出口形成部材は、その内側に前記貫通流路構成部材の流路からの遊技球を遊技領域の面方向に誘導する前面誘導部が形成された前面壁部を有することを特徴とする請求項１から請求項３の何れか一項に記載の弾球遊技機。
【請求項５】
前記流出口形成部材は、遊技領域に発射された遊技球が前記遊技球誘導部に戻るのを防止可能な可撓性を有する湾曲状の戻り球防止部材を備え、
前記戻り球防止部材は、前記流出口形成部材の前面壁部側から流路側に湾曲するように当該前面壁部に取り付けたことを特徴とする請求項４に記載の弾球遊技機。
【発明の詳細な説明】
【技術分野】
【０００１】
本発明は、前面側に遊技領域が形成された遊技盤と、該遊技盤の下方に配設されて遊技領域に向けて遊技球を発射する発射装置と、を備え、該遊技盤に該発射装置から発射された遊技球を遊技領域の上方部に誘導する遊技球誘導部を備えた弾球遊技機に関する。
【背景技術】
【０００２】
従来、遊技盤の前面に遊技領域区画壁を設けて、この遊技領域区画壁で遊技盤表面を区画することで内側に遊技領域が形成されている。
また、遊技領域区画壁の一側部（左側）の外側には、所定間隔を設けて、湾曲状のガイドレールが設けられ、このガイドレールの内側において発射装置から発射された遊技球を上方に誘導する遊技球誘導部が形成されていた。
近年においては、遊技領域に配設される各種役物装置が大型化する傾向にあり、特に遊技領域の中央部に配設される変動表示装置に液晶表示装置等を備える場合には、液晶画面の大型化に伴い変動表示装置自体が大型化して、遊技球が流下する遊技領域が狭くなってしまうという課題が生じていた。
このような課題を解決するために上記ガイドレール（遊技球誘導部）の一部を遊技盤の後面側に設けるようにした遊技機が考えられている（例えば、特許文献１参照）。
【特許文献１】特開２００４−２０８８１５号公報
【発明の開示】
【発明が解決しようとする課題】
【０００３】
このような弾球遊技機の場合、遊技盤の後面を進行する遊技球を遊技球誘導部の所要部位において遊技盤の表面側に導く必要があるが、従来の遊技機の場合、発射装置から発射された遊技球が上方の進行する部位である鉛直方向に延在する誘導部において誘導部を前後方向に蛇行させていた。遊技球誘導部の鉛直方向に延在する部位、すなわち発射装置から発射された遊技球が先ず進入する部位においては、ファール球を処理する関係上、左右方向の幅を広くする必要があることから、この部位を進行する遊技球が誘導部の左右壁のどちらに接触して進行しているか、あるいは何れにも接触しないで進行しているか不安定である。このような不安定な部位に蛇行流路を形成して遊技球を遊技盤の前面側に誘導してしまうと、遊技球の進行方向等がさらに不安定になり、ムラ飛びが発生してしまう可能性がある。
【０００４】
さらに、従来の遊技機では、発射装置に近い遊技球誘導部の鉛直方向に延在する部位において誘導部を前方に屈曲させていたため、遊技球誘導部が遊技盤の前面に突出する部分が比較的下方に位置することとなり、その分遊技領域を広くすることが困難であった。
【０００５】
本発明の目的は、発射装置から発射された遊技球を遊技領域の上方部に誘導する遊技球誘導部の一部を遊技盤の後面側に設けた弾球遊技機において、遊技球を遊技盤の後面から前面に安定して誘導できるようにとするとともに、広く遊技領域を確保できるようにすることである。
【課題を解決するための手段】
【０００６】
以上の課題を解決するため、請求項１に記載の発明は、前面側に遊技領域が形成された遊技盤と、該遊技盤の下方に配設されて遊技領域に向けて遊技球を発射する発射装置と、を備え、該遊技盤に該発射装置から発射された遊技球を遊技領域の上方部に誘導する遊技球誘導部を備えた弾球遊技機において、
前記遊技球誘導部は、
前記遊技盤の側方部に設けられ、前記発射装置から発射された遊技球を上方に誘導する第１誘導部と、
前記第１誘導部の上方部と連通し、該第１誘導部からの遊技球を遊技領域の中央方向に誘導する湾曲状の第２誘導部と、
を備え、
前記第１誘導部は前記遊技盤の後面側に配設し、
前記第２誘導部は、前記遊技盤の前面側に配設されて遊技球を前記遊技領域に流出する遊技球流出口を有し、前記第１誘導部からの遊技球を遊技盤の前面側に誘導するように前後に蛇行した蛇行誘導部を有することを特徴とする。
【０００７】
ここで、「遊技領域」とは、遊技盤の表面に形成されて遊技球が流下する領域のことである。
また、「第１誘導部」は、遊技球を上方に誘導するとしているが、完全に鉛直方向に向いているものであっても良いし、完全に鉛直方向に向いていなくても良く、例えば、多少湾曲していても良い。また、第１誘導部の内面に遊技球が常に接触していなくても良い。
【０００８】
また、第１誘導部は遊技盤の後面側に配設されていれば良く、後面上に配設されるものの他、一部または全部が後面に埋設されているもの、後面から離れて（第２誘導部との接続部分を除いて）配設されるものも含む。
【０００９】
請求項１に記載の発明によれば、遊技球誘導部は、発射装置からの遊技球を上方に誘導する第１誘導部と、第１誘導部からの遊技球を遊技領域の中央方向に誘導する湾曲状の第２誘導部とを備え、第１誘導部は遊技盤の後面側に配設したので、第１誘導部の配設部分を遊技領域として確保することができる。
【００１０】
また、第２誘導部は、遊技盤の前面側に配設されて遊技球を遊技領域に流出する遊技球流出口を有し、第１誘導部からの遊技球を遊技盤の前面側に誘導するように前後に蛇行した蛇行誘導部を有するので、安定して遊技球を誘導できる。すなわち、湾曲状の第２誘導部では、遊技球は誘導部の外側の壁に接触しながら安定して進行するので、この部位で遊技球誘導部を蛇行させて遊技球を遊技盤の前面側に誘導するようにしたことで、安定して遊技球を遊技盤の後面から前面に誘導することができ、ムラ飛び等を防止できる。
【００１１】
さらに、第１誘導部を遊技盤の後面側に配設し、第２誘導部で遊技球を遊技盤の前面側に導くので、遊技球誘導部が遊技盤の前面に突出する部分をなるべく上部にすることが可能となり、その下方に広く遊技領域を確保することができる。
【００１２】
請求項２に記載の発明は、請求項１に記載の弾球遊技機であって、前記第１誘導部における前後方向の所定範囲を遊技盤の後面に埋設したことを特徴とする。
【００１３】
ここで、「前後方向の所定範囲を遊技盤の後面に埋設した」とは、第１誘導部の一部を遊技盤に埋設した場合の他、全部を埋設した場合も含む。また、第１誘導部が遊技盤に斜めに埋設された場合も含む。
【００１４】
請求項２に記載の発明によれば、第１誘導部における前後方向の所定範囲を遊技盤の後面に埋設したので、遊技盤の後面から前面へ進行方向を変更する距離を短くでき、急激な流路変換等で遊技球が失速すること等を防止でき、安定した発射を実現できる。
【００１５】
請求項３に記載の発明は、請求項１または請求項２に記載の弾球遊技機であって、前記第１誘導部の前方壁部に金属板を設け、該金属板をアースしたことを特徴とする。
【００１６】
請求項３に記載の発明によれば、第１誘導部の前方壁部に金属板を設け、該金属板をアースしたので、第１誘導部における摩擦抵抗を軽減でき、遊技球をスムーズに誘導できるとともに、遊技球に帯電した静電気等を除去できる。
【００１７】
請求項４に記載の発明は、請求項１から請求項３の何れか一項に記載の弾球遊技機であって、前記第２誘導部は、遊技盤に形成された開口部に挿入される貫通流路構成部材と、前記貫通流路構成部材の前面側に配設されるとともに前記遊技領域から前方に突出状態で設けられる流出口形成部材とから構成し、
前記流出口形成部材は、その内側に前記貫通流路構成部材の流路からの遊技球を遊技領域の面方向に誘導する前面誘導部が形成された前面壁部を有することを特徴とする。
【００１８】
請求項４に記載の発明によれば、第２誘導部は、遊技盤に形成された開口部に挿入される貫通流路構成部材と、貫通流路構成部材の前面側に配設される流出口形成部材とから構成したので、遊技球を遊技盤の前面側に誘導するように前後に蛇行した複雑な流路を確実に形成できる。また、前面誘導部により遊技球を遊技領域の面方向に沿って発射することが可能となる。
【００１９】
請求項５に記載の発明は、請求項４に記載の弾球遊技機であって、前記流出口形成部材は、遊技領域に発射された遊技球が前記遊技球誘導部に戻るのを防止可能な可撓性を有する湾曲状の戻り球防止部材を備え、
前記戻り球防止部材は、前記流出口形成部材の前面壁部側から流路側に湾曲するように当該前面壁部に取り付けたことを特徴とする。
【００２０】
請求項５に記載の発明によれば、流出口形成部材は湾曲状の戻り球防止部材を備え、該戻り球防止部材を流出口形成部材の前面壁部側から流路側に湾曲するように当該前面壁部に取り付けたので、確実に遊技球が遊技球誘導部に戻るのを防止できるとともに、遊技球を遊技領域に誘導できる。すなわち、流出口形成部材内の遊技球は、前面誘導部で遊技領域の面方向に進行方向が変更されるが、その後、戻り球防止部材の湾曲面の内側に沿って進行するため、戻り球防止部材においても遊技球を誘導することとなり、遊技領域に向けて確実に遊技球を発射させることが可能となる。しかも、遊技球が誘導路内に戻ることも確実に防止できる。
【発明の効果】
【００２１】
本発明によれば、遊技球誘導部は、発射装置からの遊技球を上方に誘導する第１誘導部と、第１誘導部からの遊技球を遊技領域の中央方向に誘導する湾曲状の第２誘導部とを備え、第１誘導部は遊技盤の後面側に配設したので、第１誘導部の配設部分を遊技領域として確保することができる。
また、第２誘導部は、遊技盤の前面側に配設されて遊技球を遊技領域に流出する遊技球流出口を有し、第１誘導部からの遊技球を遊技盤の前面側に誘導するように前後に蛇行した蛇行誘導部を有するので、安定して遊技球を誘導できる。すなわち、湾曲状の第２誘導部では、遊技球は誘導部の外側の壁に接触しながら安定して進行するので、この部位で遊技球誘導部を蛇行させて遊技球を遊技盤の前面側に誘導するようにしたことで、安定して遊技球を遊技盤の後面から前面に誘導することができ、ムラ飛び等を防止できる。
さらに、第１誘導部を遊技盤の後面側に配設し、第２誘導部で遊技球を遊技盤の前面側に導くので、遊技球誘導部が遊技盤の前面に突出する部分をなるべく上部にすることが可能となり、その下方に広く遊技領域を確保することができる。
【発明を実施するための最良の形態】
【００２２】
以下、この発明の実施形態について図面を参照して説明する。
ここでは、本発明にかかる弾球遊技機の適例としてのパチンコ遊技機について図１から図７を用いて説明を行う。
【００２３】
図１に示すように、本実施形態の弾球遊技機１００は、遊技店の島設備に固定される矩形枠状に構成された機枠１１０を備えている。この機枠１１０の前面における左側部の上下にはそれぞれ、上下方向に沿って延在するヒンジ軸１１１が形成されたヒンジ部材１１２が設けられており、これによって、機枠１１０に対して前方向へ扉状に回動可能に前面枠１２０が軸着されるようになっている。
【００２４】
図１，２に示すように、前面枠１２０は、当該前面枠１２０に備えられる各種部材等の取付用のベースとなる前面枠本体１３０と、当該前面枠本体１３０に対して、その前面側に回動可能に軸支された透明部材保持枠１４０と、前面枠本体１３０の前面の透明部材保持枠１４０の下側に取り付けられた開閉部材ユニット１５０とを有する。
【００２５】
前面枠本体１３０は、矩形枠状の機枠１１０の前面側をちょうど覆うような概略矩形板状であり、その前面における左側部の上下にはそれぞれ、機枠１１０に形成されたヒンジ軸１１１を受け入れ可能なヒンジ穴１２１が形成されたヒンジ部材１２２が設けられていて、機枠１１０に対して前方向へ扉状に回動可能に軸着されるようになっている。また、前面枠本体１３０の中央から上端部にわたる部分には、後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２６】
また、前面枠本体１３０の遊技盤１が嵌め込まれた開口部１３１、すなわち、前面枠本体１３０の中央より少し下側から上端部にわたる部分には、前面枠本体１３０の前側を覆うように透明部材保持枠１４０が配置されている。
【００２７】
この透明部材保持枠１４０には、前面枠本体１３０の開口部１３１をほぼ閉塞するように、該開口部１３１に嵌め込まれた遊技盤１との間に遊技球が流下可能な遊技領域１ａとなる間隔を開けて二重の透明部材としてのガラス板１４１が固定されている。そして、透明部材保持枠１４０において、弾球遊技機１００の前側からガラス板１４１を介して遊技盤１の前面側の少なくとも遊技領域１ａの部分が視認可能となっている。また、透明部材保持枠１４０の前面であって、ガラス板１４１が固定されて遊技領域１ａを視認可能とする部分の周囲には、枠装飾装置１４２としてのランプやＬＥＤなどが設けられている。
【００２８】
前面枠本体１３０の前面であって、遊技盤１が嵌め込まれた開口部１３１の左側部の上下にはヒンジ部材１３２，１３３が設けられており、下側のヒンジ部材１３３には透明部材保持枠ヒンジ軸１３３ａが形成され、上側のヒンジ部材１３２には透明部材保持枠ヒンジ穴１３２ａが形成されている。そして、透明部材保持枠１４０には、その前面側から見た左側部の上下に、前面枠本体１３０に形成された透明部材保持枠ヒンジ軸１３３ａ、透明部材保持枠ヒンジ穴１３２ａとそれぞれ嵌合可能な図示しないヒンジ軸、ヒンジ穴が形成されている。これによって、透明部材保持枠１４０は、前面枠本体１３０に対して前方向へ扉状に回動可能に軸着され、透明部材保持枠１４０を開くことにより、遊技盤１の前面側の遊技領域の前側を開放可能となっている。
【００２９】
また、透明部材保持枠の開放端側となる前面側から見て右側の端部の前面には、施錠装置の一部をなす鍵穴１４３が形成されている。この鍵穴１４３は、前面枠本体１３０の施錠装置の一部であるとともに、透明部材保持枠１４０の施錠装置の一部でもあって、鍵穴１４３に鍵を入れて一方（例えば左回り）に回すと前面枠本体１３０の施錠が解除され、他方（例えば右回り）に回すと透明部材保持枠１４０の施錠が解除されるようになっている。
【００３０】
前面枠本体１３０の遊技盤１が取り付けられた開口部１３１の下側となる前面枠本体１３０の下部には、各種部材の取付ベースとなる取付盤１３４が設けられている。この取付盤１３４の前面には、遊技領域１ａに遊技球を発射する発射装置１６０や、発射したにもかかわらず戻ってきた遊技球（ファール球）を回収するファール球回収部１３５、ファール球流路１３６などが取り付けられている。また、取付盤１３４の前面側から見て右上部には、前面枠１２０の裏面側に設けられた図示しない排出装置より排出された賞球もしくは貸球としての遊技球を排出する流出口１３７が形成されている。
【００３１】
この取付盤１３４の前面側には、前面枠本体１３０に対して前方向へ扉状に回動可能に開閉部材ユニット１５０が取り付けられている。前面枠本体１３０の前面であって、取付盤１３４の左側部の上下にはヒンジ部材１３３，１３８が設けられている。下側のヒンジ部材１３８には開閉部材ユニットヒンジ穴１３８ａが形成され、上側のヒンジ部材１３３には開閉部材ユニットヒンジ軸１３３ｂが形成されている。そして、開閉部材ユニット１５０には、その前面側から見た左側部の上下に、この前面枠本体１３０に形成された開閉部材ユニットヒンジ軸１３３ｂ、開閉部材ユニットヒンジ穴１３８ａとそれぞれ嵌合可能な図示しないヒンジ軸、ヒンジ穴が形成されている。これによって、開閉部材ユニット１５０は、前面枠本体１３０に対して前方向へ扉状に回動可能に軸着され、開閉部材ユニット１５０を開くことにより、取付盤１３４の前側を開放可能となっている。
【００３２】
なお、取付盤１３４の上側に位置するヒンジ部材１３３は、透明部材保持枠１４０を軸支するヒンジ部材１３３と共通であって、上面に透明部材保持枠ヒンジ軸１３３ａが形成され、下面に開閉部材ユニットヒンジ軸１３３ｂが形成されている。よって、透明部材保持枠１４０と開閉部材ユニット１５０は、前面枠本体１３０の前面を覆うように上下に隣接して配されることとなる。
【００３３】
このような開閉部材ユニット１５０には、図１に示すように、取付盤１３４に形成された流出口１３７と対向する位置に、前後に貫通する開口が形成され、開閉部材ユニット１５０の前面側に流出口１３７が開口するようになっている。そして、開閉部材ユニット１５０の前面には、この開閉部材ユニット１５０の前面側に開口した流出口１３７から流出した遊技球を受け入れて貯留するとともに、発射装置１６０へ送る遊技球貯留部１５１が形成されている。
【００３４】
この遊技球貯留部１５１は開閉部材ユニット１５０の前面側に膨出するように形成され、その上部には、左右方向に延在するとともに所定の前後幅を有し、かつ、所定の深さを有する貯留皿（図示略）が形成されている。貯留皿の前面側から見て右側の端部には流出口１３７が隣接しており、流出口１３７から流出した遊技球は貯留皿に流入するようになっている。また、貯留皿の底面は、前面側から見て左側へ下るように傾斜しており、遊技球はこの傾斜に沿って流下するようになっている。貯留皿の左端部には、取付盤１３４に設けられた発射装置１６０へ遊技球を誘導する図示しない発射球流路に連通しており、傾斜に沿って左側へ流下した遊技球は、この発射球流路に流入することとなる。
【００３５】
また、遊技球貯留部１５１の内部には、上下に延在する図示しない余剰球排出流路が形成されており、その上流側端部が、貯留皿の底面であって左右方向の中央よりも流出口寄りの位置に、余剰球排出口として開口している。余剰球排出流路の下流側端部は遊技球貯留部１５１の下面に開口しており、貯留皿に形成された余剰球排出口から余剰球排出流路に流入した遊技球は遊技球貯留部１５１の下方に排出されるようになっている。これによって、例えば、特別遊技状態において貯留皿上に多量の賞球が排出された際に、余剰した遊技球を弾球遊技機１００の外部に抜き取ることができる。すなわち、遊技球貯留部１５１は、従来の遊技機における発射球を貯留する上皿と、余剰球を貯留する下皿の機能をあわせ持つものである。
【００３６】
余剰球排出口には、余剰球排出口を開放して遊技球が余剰球排出流路に流入可能な開状態と、余剰球排出口を閉鎖して遊技球が余剰球排出流路に流入不能な閉状態とに変換可能な開閉部材が設けられている。この開閉部材は、遊技球貯留部の前面に設けられた操作部１５２を操作する（側方にスライドさせる）ことにより変換できるようになっている。なお、開閉部材は図示しない付勢部材によって、常に余剰球排出口を閉じた閉状態となるように付勢されており、操作部１５２を付勢力に抗して操作することで、開閉部材を閉状態から開状態に変換できるようになっている。
【００３７】
また、遊技球貯留部１５１の前面には、貯留皿上において余剰球排出口よりも下流側（前面側から見て左側）にある遊技球を抜き取るための抜き取り操作部１５３が設けられている。この抜き取り操作部１５３を操作する（側方にスライドさせる）ことで、貯留皿上において余剰球排出口よりも下流側にある遊技球が、余剰球排出流路に連通した図示しない抜き取り流路に誘導され、遊技球貯留部１５１の下方から排出されるようになっている。
【００３８】
また、開閉部材ユニット１５０の前面には、遊技領域１ａに向けての遊技球の発射操作を行うための操作ハンドル１５４や灰皿１５５が設けられている。操作ハンドル１５４は可変抵抗器に接続していて、操作ハンドル１５４の回動角度を変化させることで可変抵抗器における抵抗値を変化可能とされており、これにより遊技領域１ａに遊技球を発射する際の発射勢を調節できるようになっている。
【００３９】
図２に示すように、取付盤１３４の前面に取り付けられた発射装置１６０は、取付盤１３４に固定される金属製の板状の発射ベース部材１６１と、この発射ベース部材１６１の前面に固定される発射球ガイド部材１６２と、この発射球ガイド部材１６２上の遊技球を打撃して遊技領域１ａへ発射する発射杵１６３を備える。
【００４０】
発射球ガイド部材１６２は合成樹脂製の矩形筒状の部材であって、その内部の空間を遊技球が通過可能となっている。この発射球ガイド部材１６２は、遊技盤１に形成された後述する遊技球誘導部１０の真下となる位置に配置されており、この遊技球誘導部１０に遊技球を誘導するように上下に延在するとともに、弾球遊技機１００の前面側から見て下端部より上端部が左側に位置するように斜めに配置されている。
【００４１】
発射球ガイド部材１６２の上端部は開放端となっており、遊技盤１に形成された遊技球誘導部１０に連通するようになっている。また、発射球ガイド部材１６２の下端部の前面側には、貯留皿に連通する発射球流路に接続し、遊技球を受け入れる球供給口１６２ａが開口しており、ここから遊技球が一つずつ供給されるようになっている。さらに、発射球ガイド部材１６２の下端部であって底面には、遊技球は通過しないが発射杵１６３の杵部１６３ａは通過可能な大きさの開口１６２ｂが形成されており、球供給口１６２ａから発射球ガイド部材１６２内に流入した遊技球が、発射球ガイド部材１６２の下端部に保持されるとともに、一部がこの開口１６２ｂから下方に露出した状態となる。そして、この開口１６２ｂの下側から発射杵１６３の杵部１６３ａが遊技球を打撃し、遊技球が上方へ発射されるようになっている。
【００４２】
また発射装置１６０は、発射ベース部材１６１の前面側に回動可能に配された発射杵１６３と、発射杵１６３の回動角度を規制するストッパ部材１６４，１６４を備え、発射ベース部材１６１の裏面側に、発射杵１６３を回動駆動する図示しない電気的駆動源としてのモータ（ステッピングモータ）を備えている。
【００４３】
発射杵１６３は、発射ベース部材１６１の裏面側に配置されたモータに接続される回転軸部１６３ｂと、その回転軸部１６３ｂからほぼ半径方向に延出するアーム部１６３ｃと、アーム部１６３ｃの先端からほぼ回転方向（半径方向にほぼ直交する方向）に延出する丸棒状の杵部１６３ａと、を備えている。この発射杵１６３は、発射ベース部材１６１に形成された二つのストッパ部材１６４，１６４の間を回動可能となっているが、図示しない付勢部材によって杵部１６３ａの延出方向に付勢されており、通常は上側のストッパ部材１６４に係止された状態（図２に点線で示す状態）で停止している。このように発射杵１６３が上側のストッパ部材１６４に係止された位置では、杵部１６３ａが発射球ガイド部材の開口１６２ｂに挿通された状態となっている。
【００４４】
そして、モータを駆動することにより、発射杵１６３は付勢部材の付勢力に抗して下方のストッパ部材１６４に当接する位置まで回動される。モータから発射杵１６３に加えられる駆動力は、例えばカムを介して伝達されるようになっており、発射杵１６３がこの位置に達すると、モータからの駆動力が加わらない状態となる。これにより、発射杵１６３はこの位置から付勢部材の付勢力により元の位置へ戻るように回動し、杵部１６３ａが発射球ガイド部材の開口１６２ｂから露出した遊技球を下側から打撃することで遊技球が上方向に発射されるようになっている。
【００４５】
また、発射球ガイド部材１６２の上端部の左右には、発射されたにもかかわらず、遊技領域１ａへ至らずに発射装置側（下側）１６０へ戻ってしまったファール球を回収するファール球回収部１３５が設けられている。このファール球回収部１３５は上側に開口した樋状に形成され、落下した遊技球を受け入れるとともに、その後方に接続したファール球流路１３６に流下案内するようになっている。そして、ファール球流路１３６は、ファール球回収部１３５から受け入れた遊技球を流出口１３７へ誘導するように配されており、これによって、ファール球として回収された遊技球が再び発射可能となる。
【００４６】
前面枠本体１３０の開口部１３１に嵌め込まれる遊技盤１は、各種部材の取付ベースとなる平板状の遊技盤本体１ｂ（木製もしくは合成樹脂製）を備え、該遊技盤本体１ｂの前面に、遊技領域区画壁９で囲まれた遊技領域１ａを有し、この遊技領域１ａ内に発射装置１６０から遊技球（打球；遊技媒体）を発射して遊技を行うようになっている。なお、遊技盤１の前面側から見て左側部には、発射装置１６０から発射された遊技球を遊技領域１ａの上部に誘導する遊技球誘導部１０が、遊技盤本体１ｂの後面側に配設されている。この遊技球誘導部１０の詳細については後述する。
【００４７】
図２，５に示すように、遊技盤本体１ｂの前面側には、遊技領域１ａを区画する遊技領域区画壁９を備える遊技領域区画部材８，８，…、遊技領域１ａの一部を形成する遊技領域形成部材１７が取り付けられている。
【００４８】
遊技領域形成部材１７は、遊技盤本体１ｂの前面に沿って配される平板状の遊技領域形成部１８と、該遊技領域形成部１８に対して垂直に形成され、遊技盤本体１ｂの左端に沿って前方に突出するように配される矩形板状の遊技領域区画壁９とを備えている。この遊技領域形成部１８は、後述するように遊技盤本体１ｂの後面側に配設された遊技球誘導部１０が配設された部分の前面側にあって、この部分は、従来は遊技球誘導部１０が設けられていて遊技領域１ａとして利用できなかった部分である。すなわち、遊技球誘導部１０を遊技盤本体１ｂの後面側に配設したことで、遊技領域１ａとして利用可能な範囲が拡大されたこととなる。
【００４９】
この遊技領域形成部１８の前面には、ここを流下する遊技球の流下方向を変更する板状の流下誘導部材１９が突設されている。この流下誘導部材１９は、その板面が遊技領域１ａの中央方向に向かって下る斜面となるように設けられており、遊技盤本体１ｂの左端部に設けられた遊技領域形成部１８の前面を流下する遊技球を、遊技領域１ａの中央方向に誘導するものである。
【００５０】
また、遊技領域形成部１８の下部の一部には装飾部材２０が設けられている。この装飾部材２０は、光を透過可能な材質からなり、遊技領域形成部１８の前面側に膨出するように配されるレンズ部材２１と、このレンズ部材２１の裏面側に配された図示しない電気的発光部材（例えばＬＥＤ）を備えている。これにより、この部分において光による装飾が可能となっている。なお、前面側に膨出したレンズ部材２１の上面は、遊技球を遊技領域１ａの中央方向に誘導する誘導面となっている。
【００５１】
また、遊技領域形成部１８の外周部のうち、遊技盤本体１ｂの前面を流下する遊技球が遊技領域形成部１８の前面に流入可能な部分、もしくは、遊技領域形成部１８の前面を流下する遊技球が遊技盤本体１ｂの前面に流出可能な部分には、遊技領域形成部１８の外周方向に向かって、遊技盤本体１ｂの前面に近づくように傾斜する傾斜部１８ａが形成されて、遊技球が出入りしやすいようになっている。さらに、遊技領域形成部１８には複数のねじ穴１８ｂ，１８ｂ，…が形成されており、遊技領域形成部材１７をねじによって遊技盤本体１ｂの前面に固定できるようになっている。
【００５２】
遊技盤本体１ｂの左側端に沿って配される遊技領域区画壁９は、遊技盤１の前面側に形成される遊技領域１ａの左端を区画するものであって、この遊技領域区画壁９よりも遊技盤１の中央側が遊技領域１ａとなっている。すなわち、遊技領域形成部材１７が配された部分においては、遊技盤１の左端までが遊技領域１ａとされている。この遊技領域区画壁９の上下端部には段部２２，２２が形成されており、この段部２２，２２が、遊技領域形成部材１７の上下にそれぞれ配される遊技領域区画部材８に形成された遊技領域区画壁９の端部に設けられた段部８ａと噛み合うことで、遊技領域区画壁９はさらに上下に連続するようになっている。また、遊技領域区画壁９の外側面には、遊技領域形成部１８の下部に設けられた装飾部材２０の電気的発光部材のコネクタ部２３が設けられており、このコネクタ部２３から弾球遊技機１００の裏面側の制御装置に配線が接続されるようになっている。
【００５３】
また、遊技領域区画部材８，８，…は所定の厚みを有し、遊技盤本体１ｂの前面の四隅に配されて遊技領域１ａを区画するものであって、遊技盤１の中心側に配される側面は、遊技領域１ａを区画する遊技領域区画壁９をなしている。この遊技領域区画部材８，８，…のうち、遊技盤１の前面側から見て左側の上下に配される二つの遊技領域区画部材８，８は、上述の遊技領域形成部材１７を挟むように上下に隣接して配されるようになっている。
【００５４】
このうち、遊技領域形成部材１７の上側に配された遊技領域区画部材８に形成された遊技領域区画壁９は、後述する遊技球誘導部１０の遊技球流出口２５を形成する流出口形成部材２４に隣接して配されるようになっており、遊技球誘導部１０から流出した遊技球がこの遊技領域区画壁９に沿って遊技領域１ａの中央方向へ案内されるようになっている。
【００５５】
さらに、遊技盤本体１ｂの四隅に配された遊技領域区画部材８，８，…には、遊技盤１を前面枠本体１３０に形成された開口部１３１に対して着脱可能とする係合凹部８ｂ、固定凹部８ｃが形成されている。前面側から見て左側の上下にある遊技領域区画部材８，８には、前面枠本体１３０に設けられた係合部材１３０ａが係合可能な係合凹部８ｂが形成され、遊技盤１の前面側から見て右側の上下にある遊技領域区画部材８，８には、前面枠本体１３０に設けられた固定部１３０ｂが係合可能な固定凹部８ｃが形成されている。そして、前面枠本体１３０に形成された開口部１３１に対して、前面側から係合凹部８ｂ，８ｂを係合部材１３０ａ，１３０ａに係合させ、この係合部分を軸として他端部を後方に回動させて開口部１３１に収容し、固定凹部８ｃ，８ｃに固定部１３０ｂ，１３０ｂを係合させることで遊技盤１が前面枠本体１３０に固定されるようになっている。
【００５６】
図２に示すように、遊技領域１ａ内には、普図始動ゲート２、この普図始動ゲート２を遊技球が通過して普図変動表示ゲームが未処理となっている未処理回数を表示する普図始動記憶表示器（図示略）、普通図柄の変動表示ゲームを表示する普図変動表示器（図示略）が設けられている。また、普通変動入賞装置３と、この普通変動入賞装置３に遊技球が入賞して特図変動表示ゲームが未処理となっている未処理回数を点灯表示する特図始動記憶表示器（図示略）、特図変動表示ゲームを表示する特図変動表示器（図示略）、特図変動表示器での特図変動表示ゲームに対応する表示ゲームを表示する変動表示装置４が設けられている。さらに、特別遊技状態において開放される特別変動入賞装置５、一般入賞口（図示略）、風車と呼ばれる打球方向変換部材（図示略）、多数の障害釘（図示略）、入賞口に入賞しなかった遊技球を回収するアウト口６などが設けられている。
【００５７】
普図始動ゲート２内には、該普図始動ゲート２を通過した遊技球を検出するためのゲートセンサが設けられている。そして、遊技領域１ａ内に打ち込まれた遊技球が、普図始動ゲート２内を通過すると、図示しない普図変動表示器において普図の変動表示ゲームが行われる。ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。なお、変動表示装置４の表示領域の一部で普図変動表示ゲームを表示するようにしても良い。この普図の変動表示ゲームの結果、普図変動表示器における停止表示が特別の結果態様となれば、普図の当たりとなって、普通変動入賞装置３の開閉部材３ａ，３ａが所定時間（例えば、０.５秒間）後述のように開放される。これにより、普通変動入賞装置３に遊技球が入賞しやすくなり、特図変動表示ゲームの始動が容易となる。
【００５８】
普通変動入賞装置３は左右一対の開閉部材３ａ，３ａを具備し、この開閉部材３ａ，３ａは、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置３に遊技球が流入し易い状態（遊技者にとって有利な状態）に変化されるようになっている。この普通変動入賞装置３は、特図の始動入賞口も兼ねており、遊技球が入賞することに基づき始動条件が成立し、特図変動表示ゲームが開始されるようになっている。
【００５９】
特別変動表示ゲームは、遊技領域１ａ内に設けられた特図変動表示器（たとえば、７セグからなる）で実行され、ここで実行される特図変動表示ゲームに対応する表示ゲームが変動表示装置４に表示されるようになっている。なお、弾球遊技機１００に特図変動表示器を備えずに、変動表示装置４のみで特図変動表示ゲームを実行するようにしても良い。そして、特図の変動表示ゲームの結果として、特図変動表示器の表示態様が特別結果態様（たとえば「７」）となった場合には、大当たりとなって特別遊技状態（いわゆる、大当たり状態）となる。また、これに対応して変動表示装置４の表示態様も特別結果態様（例えば、「７，７，７」等のゾロ目数字の何れか）となる。
【００６０】
変動表示装置４は、例えば液晶表示パネルを有し、特図変動表示ゲームに対応する表示ゲームのほか、様々な情報などを表示可能となっている。また、変動表示装置４の上部には、遊技盤本体１ｂの前面に突出するように鎧部材７が配されており、遊技領域１ａを流下する遊技球が直接変動表示装置４の前面側に流下しないようになっている。
【００６１】
特別変動入賞装置５は、上端側が手前側に倒れる方向に回動して開放可能になっているアタッカ形式の開閉扉によって開閉される大入賞口を備えていて、特別遊技状態中は、大入賞口を閉じた状態から開いた状態に変換することにより大入賞口内への遊技球の流入を容易にさせるようになっている。
【００６２】
また、遊技を開始することにより遊技領域１ａ内に打ち込まれた遊技球が、一般入賞口、始動入賞口（普通変動入賞装置）、大入賞口（特別変動入賞装置）等の入賞口の何れかに入賞すると、それぞれの入賞口に対応した所定数の賞球としての遊技球が排出装置から排出され、貯留皿に排出される（払い出される）ようになっている。
【００６３】
本実施形態の弾球遊技機１００の遊技盤１における遊技球誘導部１０は、そのほとんどが遊技盤本体１ｂの後面に埋設されている。以下、この遊技球誘導部１０の詳細について説明する。この遊技球誘導部１０は、図２に示すように遊技盤１（遊技盤本体１ｂ）の後面側にあって、発射装置１６０から発射された遊技球を上方に誘導する第１誘導部１０ａと、該第１誘導部１０ａの上方部と連通し、遊技球を遊技領域１ａの中央方向に誘導する第２誘導部１０ｂとからなる。
【００６４】
この遊技球誘導部１０は、図３から図７に示すように、遊技盤本体１ｂの後面に形成された溝状の凹部１１および遊技盤本体１ｂの前後に貫通する開口部１６からなる流路形成部３１に各種部材が取り付けられることで構成されている。
【００６５】
流路形成部３１は、図３に示すように、遊技盤１の後面側から見て右側にあって、遊技盤本体１ｂの下端部から上端部の近傍まで上下に延在し、かつ、遊技盤本体１ｂの後面側から見た右側面に向かって突出する略円弧状に形成されている。この流路形成部３１は、上方端部の所定範囲が遊技盤本体１ｂの前後に貫通する開口部１６とされ、開口部１６より下方の部分が後方に開口する溝状の凹部１１とされている。なお、溝状の凹部１１が形成された部分が主に第１誘導部１０ａを形成し、開口部１６が形成された部分が主に第２誘導部１０ｂを形成している。また、流路形成部３１の下端部となる溝状の凹部１１の下端部は遊技盤本体１ｂの下端部と一致し、遊技盤１（遊技盤本体１ｂ）の下方に開口している。
【００６６】
また、流路形成部３１は、開口部１６においては所定の左右幅（遊技球の直径より広い左右幅）を有し、この開口部１６の下方に連続する溝状の凹部１１においては下方に向かって徐々に左右幅が広くなるように形成されている。また、流路形成部３１は、上方端部から下方に向かって徐々に曲率が小さく緩やかな湾曲となるように形成されている。また、遊技盤本体１ｂの後面における開口部１６の周囲には、この開口部１６内に取り付けられる後述の貫通流路構成部材３７に形成された鍔状の取付片３９を収容できるように、遊技盤本体１ｂの後面よりも一段低くなった段部１６ａが形成されている。そして、このような流路形成部３１における溝状の凹部１１には金属板３２が、開口部１６には貫通流路構成部材３７が取り付けられ、さらに、その後方には誘導部形成部材１３が取り付けられるようになっている。
【００６７】
主に第１誘導部１０ａを形成する溝状の凹部１１の内部には、遊技盤本体１ｂの面方向に平行な前壁１１ａ（底壁）を覆うように、前壁１１ａの形状と略同じ形状に形成された金属板３２が配されている。この金属板３２にはねじ穴３３，３３，…が形成されており、ねじによって溝状の凹部１１の前壁１１ａに固定できるようになっている。
【００６８】
この金属板３２の側部であって、遊技盤本体１ｂの後面側から見て右側に配される側部には、金属板３２をアースするためのアース配線（図示略）が接続される板状の接続部３４が、外側へ延出するように形成されている。この接続部３４は、金属板３２を溝状の凹部１１の前壁１１ａに配設した際に、溝状の凹部１１の側壁および遊技盤本体１ｂの後面に沿って配されるように、溝状の凹部１１の形状に合わせて屈折した形状に形成されている。また、これに合わせて、遊技盤本体１ｂの後面における接続部３４が配される部分には、接続部３４を収容可能な凹部３６が形成されている。そして、この接続部３４の遊技盤本体１ｂの後面側から見て右側端近傍に配される先端部には接続穴３５が形成され、ここにアース配線の末端が接続されるようになっている。このように金属板３２をアースすることで、発射装置１６０から発射されて遊技球誘導部１０に流入した遊技球の静電気を除去することができる。
【００６９】
主に第２誘導部１０ｂを形成する開口部１６には、図４に示すような貫通流路構成部材３７が取り付けられている。この貫通流路構成部材３７は、遊技盤本体１ｂに形成された開口部１６にちょうど収まるような形状をした部材で、中央部に前後に貫通する貫通流路構成部３８を有している。
【００７０】
この貫通流路構成部材３７の後端部には、貫通流路構成部材３７を流路形成部３１に固定するための鍔状の取付片３９が形成されている。この取付片３９は、貫通流路構成部材３７を開口部１６に取り付けると、開口部１６の周囲に形成された段部１６ａにちょうど収まるようになっており、取付片３９の後面、すなわち貫通流路構成部材３７の後面が遊技盤本体１ｂの後面と略同一面をなすようになっている。さらに、取付片３９には前後に貫通するねじ穴３９ａ，３９ａ，…が形成されており、ねじによって貫通流路構成部材３７を流路形成部３１に固定できるようになっている。また、この取付片３９には、貫通流路構成部材３７の後方に取り付けられる誘導部形成部材１３に形成されたボス（図示略）を受入可能な挿入穴３９ｂ，３９ｂが形成されており、誘導部形成部材１３を所定の位置に取り付けられるようになっている。また、図５に示すように、貫通流路構成部材３７の前面は、貫通流路構成部材３７を開口部１６に取り付けた状態で遊技盤本体１ｂの前面と略同一面を形成するようになっている。そして、貫通流路構成部材３７の前面には、流出口形成部材２４が取り付けられるようになっている。
【００７１】
この貫通流路構成部材３７に形成された貫通流路構成部３８は、遊技球が一個通過できる程度の幅を有し、貫通流路構成部材３７を開口部１６に取り付けた状態で、遊技盤本体１ｂの後面から前面に向かって斜め上方へ延在する蛇行誘導部４３の一部を形成するものである。なお、この蛇行誘導部４３の詳細については後述する。
【００７２】
図３に示すように、遊技盤本体１ｂの後面に取り付けられる誘導部形成部材１３は、遊技盤本体１ｂに形成された流路形成部３１と同様の略円弧状に形成され、その延在方向に沿って溝状（断面コ字状）の流路形成溝１３ａが形成されている。この誘導部形成部材１３は、流路形成溝１３ａが前面側に開口する向きで、流路形成部３１の後方を覆うように遊技盤本体１ｂの裏面に取り付けられている。
【００７３】
流路形成溝１３ａの開口部分の形状は、開口部１６に取り付けられた貫通流路構成部材３７の後方開口と、これに連続した溝状の凹部１１の後方開口とを合わせた形状と略同じ形状をしている。すなわち、上方端部においては遊技球の直径より若干広い程度の左右幅を有し、下方に向かって徐々に左右幅が広くなるように、かつ、上方端部から下方に向かって徐々に曲率が小さく緩やかな湾曲となる形状とされている。よって、誘導部形成部材１３を遊技盤本体１ｂの後面に取り付けることで、遊技盤１（遊技盤本体１ｂ）の後面側に一部が埋設された状態の矩形筒状の遊技球誘導部１０が形成されることとなる。
【００７４】
また、流路形成溝１３ａの上方端部から所定の範囲の後方壁部（底壁）は、上方端部に向かって前方向に傾斜した誘導傾斜部１４となっていて、遊技球誘導部１０を上方向に移動する遊技球を斜め前方向、すなわち、遊技盤１の表面に向かう方向に誘導する蛇行誘導部４３の一部を形成するようになっている。
【００７５】
また、誘導部形成部材１３の前端部には、誘導部形成部材１３を遊技盤本体１ｂの後面に固定するための鍔状の取付片１５が形成されている。この取付片１５は、誘導部形成部材１３を遊技盤本体１ｂの後面に配設した状態で、遊技盤本体１ｂに形成された流路形成部３１の周囲に位置するようになっている。さらに、取付片１５には前後に貫通するねじ穴１５ａ，１５ａ，…が形成されており、また、取付片１５が位置する遊技盤本体１ｂの後面には、このねじ穴１５ａ，１５ａ，…と対応する部分にねじ止め部４０，４０，…（図３に一部を図示）が形成されていて、ねじによって誘導部形成部材１３を遊技盤本体１ｂに固定できるようになっている。
【００７６】
また、取付片１５の前面の下端部近傍には、ボス１５ｂが前方向へ突出するように形成されており、誘導部形成部材１３を遊技盤本体１ｂの後面に取り付ける際に、遊技盤本体１ｂの後面に形成された挿入穴４１に挿入されるようになっている。これにより、誘導部形成部材１３を遊技盤本体１ｂに取り付ける際の位置合わせが容易になるとともに強固に取り付けることが可能となる。
【００７７】
また、流路形成溝１３ａにおける左右の側壁の前端部には、該側壁を前方向に延長するように前方向へ延出するリブ１３ｂ（図３に一部を図示）が形成されている。このリブ１３ｂは、流路形成溝１３ａが溝状の凹部１１と対向する部分に形成され、誘導部形成部材１３を遊技盤本体１ｂの後面に取り付けた状態で、溝状の凹部１１における左右の側壁の内側に沿って配されるようになっている。また、このリブ１３ｂの前方向への延出幅は、金属板３２を配した状態における溝状の凹部１１の深さと略等しく、リブ１３ｂの前端が金属板３２の後面に接し、金属板３２を溝状の凹部１１内に押さえつけるようになっている。すなわち、第１誘導部１０ａの側壁は、誘導部形成部材１３によって形成されることとなる。
【００７８】
以上のように、誘導部形成部材１３は、発射装置１６０から発射された遊技球を誘導する遊技球誘導部１０の内面の一部を形成するものであって、摩擦係数の低い材質（例えば、ポリアセタール）からなり、遊技球との摩擦が低減されるようになっている。
【００７９】
なお、誘導部形成部材１３を金属で形成するようにしても良く、このようにすれば、遊技球との摩擦が低減される上、耐磨耗性も高まる。さらに、溝状の凹部１１の形成によって厚みが減少した遊技盤本体１ｂの補強部材としても機能する。また、上述したように、前方向に突出するリブが溝状の凹部１１に収容されアースに接続した金属板３２と接するので、静電気をより効率よく逃すことができる。また、流路形成溝１３ａの内側面における後面側から見た右側の面など、遊技球が接触する率の高い部位のみ金属にしたり、流路形成溝１３ａの内側面に金属板をかぶせるようにしたりしても良い。また、誘導部形成部材１３を導電性の合成樹脂により形成しても良い。
【００８０】
図２，５，６に示すように、流出口形成部材２４は、遊技盤本体１ｂの前面側であって、貫通流路構成部材３７の前面側に突出状態で取り付けられる部材で、第２誘導部１０ｂの上方端部を形成するとともに蛇行誘導部４３の一部を形成し、遊技球誘導部１０の遊技球流出口２５を形成するものである。この流出口形成部材２４には、その延在方向に沿って、貫通流路構成部３８の左右幅と略等しい左右幅を有する溝状の流出流路形成部２６が形成されている。そして、流出口形成部材２４は、この流出流路形成部２６と貫通流路構成部３８とが対向し、かつ、流出流路形成部２６の延在方向が貫通流路構成部３８の延在方向に沿うように遊技盤本体１ｂの前面に配されている。これにより、遊技盤本体１ｂの前面（遊技領域１ａ）に遊技球誘導部１０の下流側部分としての矩形筒状の流出流路が形成され、その端部に遊技球誘導部１０の出口をなす遊技球流出口２５が形成されることとなる。
【００８１】
また、流出口形成部材２４には、溝状の流出流路形成部２６を挟んで対向する側部における開口側の端部（後端部）に、鍔状に外側へ延出する取付片２７が形成されている。この取付片２７の後面には、後方へ突出するボス２７ｂ，２７ｂが形成されており、このボスを貫通流路構成部材３７の前面に形成された挿入穴４２，４２に挿入することで、流出口形成部材２４を所定の位置に取り付けられるようになっている。また、取付片２７には、ねじ穴２７ａが形成されており、ねじによって流出口形成部材２４を貫通流路構成部材３７の前面側に固定できるようになっている。
【００８２】
また、この流出口形成部材２４の流出流路形成部２６を形成する内面であって、貫通流路構成部３８と対向する面（前面壁部２４ａの後面）は、貫通流路構成部３８によって遊技盤１の前面に向かう方向に誘導された遊技球を、遊技盤１の前面（遊技盤本体１ｂの前面）に沿った方向（遊技領域１ａの面方向）に誘導する前面誘導部２９とされている。この前面誘導部２９は、滑らかな曲面となっていて、発射装置１６０側の端部においては、貫通流路構成部３８の前方内側面４５の前方端部近傍における傾きと略等しい傾きを有し、遊技球流出口２５側に近づくにつれて徐々に遊技盤１の面方向に沿うように（前方向への傾きが小さくなるように）なっている。また、遊技球流出口２５の近傍においては遊技盤本体１ｂの面方向に沿った面となっている。
【００８３】
また、流出口形成部材２４によって形成された遊技球流出口２５には、図６（ａ）に示すように、例えば、金属板のような可撓性を有する部材からなる円弧状に湾曲した形状の戻り球防止部材３０が設けられている。この戻り球防止部材３０は、流出口形成部材２４の前面壁部２４ａに一端が固定され、他端部は、遊技球流出口２５の前方を覆うように、遊技盤本体１ｂの前面方向（流路側へ）へ湾曲している。
【００８４】
このような構成を有する戻り球防止部材３０は、遊技球流出口２５から遊技領域１ａ方向へ流出し、湾曲した面の内側に接触した遊技球（発射球）に対しては、遊技領域１ａへの流出を可能とするように弾性変形し、遊技球が通過した後、元の状態に戻るようになっている。しかし、遊技領域１ａから遊技球流出口２５に向かって流下し、湾曲した面の外側に接触した遊技球（戻り球）に対しては、遊技球流出口２５を覆ったままとなり、遊技球流出口２５への流入を阻止するようになっている。すなわち、戻り球防止部材３０によって、遊技領域１ａに発射された遊技球が再び遊技球流出口２５から遊技球誘導部１０に戻ることを防止でき、発射の妨げとなることがないようにしている。また、戻り球防止部材３０の先端部の湾曲方向が後方向となるように構成されているので、遊技盤１に埋設された遊技球誘導部１０から遊技盤本体１ｂの前面方向に誘導された遊技球を、確実に遊技盤本体１ｂの面方向（遊技領域１ａの面方向）に沿って誘導できる。
【００８５】
なお、戻り球防止部材３０はこのようなものに限られず、図６（ｂ）に示すように、流出口形成部材２４の前面誘導部２９に戻り球防止部材３０を配設しても良い。この図６（ｂ）に示すような流出口形成部材２４の戻り球防止部材３０は、その先端部で遊技球流出口２５をふさぐようになっている。ただし、このように配設する場合は、前面誘導部２９と戻り球防止部材３０の内面が面一となるようにし、遊技球の通過の妨げとならないようにすることが望ましい。これによって、遊技盤１の前面方向に誘導された遊技球を、より確実に遊技盤１の面方向に沿って誘導できるようになる。また、戻り球防止部材３０を遊技者から見えない位置に配設でき、遊技領域１ａにおける装飾性を向上することができる。
【００８６】
また、戻り球防止部材３０は、金属板のように可撓性を有するものに限られず、例えば、一端（一部）が回動可能に軸支され、遊技球流出口２５を開放した状態と閉鎖した状態とに変換可能な部材を設けるようにしても良い。
【００８７】
以上のことから、流出口形成部材２４は、遊技領域１ａに発射された遊技球が遊技球誘導部１０に戻るのを防止可能な可撓性を有する湾曲状の戻り球防止部材３０を備え、戻り球防止部材３０は、流出口形成部材２４の前面壁部２４ａ側から流路側に湾曲するように当該前面壁部２４ａに取り付けたこととなる。
【００８８】
以上のように、遊技盤本体１ｂに形成された流路形成部３１に各種部材を取り付けることにより、遊技盤本体１ｂの下端の後面側から遊技盤本体１ｂの上端部近傍の前面側に至る矩形筒状の遊技球誘導部１０が形成される。
【００８９】
このうち、溝状の凹部１１とその後方に取り付けられた誘導部形成部材１３（下方の所定部分）によって、図２、７に示すように、遊技盤本体１ｂの面方向に沿って延在する略円弧状の第１誘導部１０ａが形成される。なお、第１誘導部１０ａの前方部分は、遊技盤本体１ｂの後面に形成された溝状の凹部１１によって形成されているので、第１誘導部１０ａは遊技盤本体１ｂの後面に一部が埋設された状態で形成されこととなる。
【００９０】
以上のことから、第１誘導部１０ａにおける前後方向の所定範囲を遊技盤１（遊技盤本体１ｂ）の後面に埋設したこととなる。
【００９１】
この第１誘導部１０ａの前方側の内側面（前方壁部）を形成する溝状の凹部１１の前壁１１ａには、アースに接続された金属板３２が配されており、上方へ誘導される遊技球が金属板３２に触れることによって静電気が除去されるようになっている。
【００９２】
以上のことから、第１誘導部１０ａの前方壁部に金属板３２を設け、該金属板３２をアースしたこととなる。
【００９３】
そして、誘導部形成部材１３の上方端部に形成された誘導傾斜部１４と、貫通流路構成部材３７、流出口形成部材２４によって、第１誘導部１０ａの上方部に連通する第２誘導部１０ｂが形成される。この第２誘導部１０ｂには、遊技盤本体１ｂの後面側にある第１誘導部１０ａから、遊技盤本体１ｂの前面側に遊技球を誘導する前後にＳ字状に蛇行した蛇行誘導部４３が形成されている。
【００９４】
この第２誘導部１０ｂの内側面のうち、後方側に位置する後方壁部は、誘導部形成部材１３の誘導傾斜部１４と、その前側に連続する貫通流路構成部材３７の後方内側面４４とによって形成されている。誘導部形成部材１３の誘導傾斜部１４は、後方（下方）端部から前方（上方）端部に向かって、遊技盤本体１ｂの後面に平行な状態から、徐々に前方向への傾きが大きくなるような曲面となっている。また、誘導傾斜部１４に接続する貫通流路構成部材３７の後方内側面４４は、後方端部においては誘導傾斜部１４の上方端部近傍の傾きと等しく、前方端部に向かって前側への傾きが徐々に大きくなり、前方端部の近傍で、逆に前側への傾きが小さくなるような曲面となっている。
【００９５】
そして、誘導部形成部材１３の誘導傾斜部１４の上方端部は、貫通流路構成部材３７を開口部１６に取り付けた状態で誘導部形成部材１３を遊技盤本体１ｂの後方に取り付けることで、貫通流路構成部材３７の後方内側面４４の後方端部と段差なく接続するようになっている。これにより、第２誘導部１０ｂの後方壁部としてＳ字状の滑らかな曲面が形成される。
【００９６】
また、第２誘導部１０ｂの内側面のうち、前方側に位置する前方壁部は、貫通流路構成部材３７の前方内側面４５と流出口形成部材２４の前面誘導部２９とによって形成されている。貫通流路構成部材３７の前方内側面４５は、後方端部から前方端部に向かって、遊技盤本体１ｂの後面に略平行な状態から、徐々に前側への傾きが大きくなるような曲面となっている。また、流出口形成部材２４の前面誘導部２９は、後方端部においては貫通流路構成部材３７の前方内側面４５における上方端部近傍の傾きと等しく、前方端部に向かって、前側への傾きが徐々に小さくなるような曲面となっている。
【００９７】
そして、貫通流路構成部材３７の前方内側面４５の後方端部は、貫通流路構成部材３７を開口部１６に取り付けた状態で、第１誘導部１０ａの前方側の内側面を形成する金属板３２の後面の上方端部と段差なく連続するようになっている。また、貫通流路構成部材３７の前方内側面４５の前方端部は、貫通流路構成部材３７の前面側に流出口形成部材２４を取り付けることによって、流出口形成部材２４の前面誘導部２９の後方端部と段差なく連続するようになっている。これによって、第２誘導部１０ｂの前方壁部としてＳ字状の滑らかな曲面が形成される。
【００９８】
なお、Ｓ字状に形成された前方壁部と後方壁部における、後方端部から前方端部へかけての曲率および傾きの変化は同じとされ、一定の前後幅（遊技球の直径より若干広い程度）の流路が形成されるようになっている。また、誘導部形成部材１３、貫通流路構成部材３７、流出口形成部材２４によって形成される、第２誘導部１０ｂの左右の内側面も前方壁部、後方壁部と同様に段差なく、かつ、一定の左右幅（遊技球の直径より若干広い程度）をおいて形成されている。これによって、滑らかなＳ字状に蛇行した矩形筒状の蛇行誘導部４３が第２誘導部１０ｂに形成されることとなる。
【００９９】
以上のことから、第２誘導部１０ｂは、遊技盤１（遊技盤本体１ｂ）に形成された開口部１６に挿入される貫通流路構成部材３７と、貫通流路構成部材３７の前面側に配設されるとともに遊技領域１ａから前方に突出状態で設けられる流出口形成部材２４とから構成し、流出口形成部材２４は、その内側に貫通流路構成部材３７の流路からの遊技球を遊技領域１ａの面方向に誘導する前面誘導部２９が形成された前面壁部２４ａを有することとなる。
【０１００】
なお、第１誘導部１０ａの一部が遊技盤本体１ｂの後面側に埋設されていることで、Ｓ字状に蛇行した蛇行誘導部４３によって遊技盤本体１ｂの前面側に遊技球を誘導する際の前後方向の移動距離が少なくなり、蛇行誘導部４３を緩やかな曲線とすることが可能となっている。
【０１０１】
そして、以上のように構成される遊技球誘導部１０は、図２に示すように、上端部の流出口形成部材２４が設けられた部分以外は、遊技盤１（遊技盤本体１ｂ）の左側部の後面側に埋設されている。この遊技球誘導部１０は、遊技盤１を前面枠本体１３０の開口部１３１に取り付けることにより、その下端部において発射装置１６０の発射球ガイド部材１６２と連通するようになっている。これにより、発射装置１６０から発射された遊技球が、発射球ガイド部材１６２を通って遊技球誘導部１０（第１誘導部１０ａ）に流入することとなる。
【０１０２】
ここで、発射球ガイド部材１６２は、左右幅の広くなった遊技球誘導部１０の下端部における略中央に接続するようになっており、かつ、下端部より上端部が遊技盤１の前面側から見て左側に位置するように斜めに配設されている。この発射球ガイド部材１６２の傾斜角度は、その先端が、遊技球誘導部１０が最も左側端側に突出した部分に向くような傾斜角度とされている。よって、発射装置１６０から発射された遊技球は、遊技球誘導部１０が最も左側端側に位置する部分の付近まで、すなわち第１誘導部１０ａの途中まで左右の側壁に触れずに上方向へ移動した後、湾曲した部分に沿って第１誘導部１０ａの上方部へ誘導されるようになっている。なお、発射球ガイド部材１６２の左右には、ファール球回収部１３５が設けられており、これらによって、遊技球誘導部１０の下端部は閉鎖され、発射されたにもかかわらず戻ってきた遊技球を確実に回収できるようになっている。
【０１０３】
第１誘導部１０ａの上方部へ誘導された遊技球はＳ字状の蛇行誘導部４３を備える第２誘導部１０ｂに流入する。この第２誘導部１０ｂによって、遊技盤本体１ｂの後面側の第１誘導部１０ａで遊技盤本体１ｂの面方向に沿って誘導された遊技球が、遊技盤本体１ｂの前面へ向かって斜め前方に誘導され、遊技球流出口２５から遊技盤本体１ｂの前面側（遊技領域１ａ）へ遊技盤本体１ｂの面方向に沿うように排出される。また、略円弧状に形成された遊技球誘導部１０において、上方端部に位置する第２誘導部１０ｂは最も曲率が大きい部分であり、遊技球を遊技領域１ａの中央方向へ誘導する機能も有する。
【０１０４】
なお、略円弧状に形成された遊技球誘導部１０において、上方端部に位置する第２誘導部１０ｂは最も曲率が大きい部分であり、遊技球は第２誘導部１０ｂの外側の壁（前面側から見て左側の内側壁）に接触しながら安定して進行する。よって、安定して遊技球を遊技盤本体１ｂの後面から前面に誘導することができ、ムラ飛び等を防止できる。
【０１０５】
遊技領域１ａに至った遊技球は、図示しない障害釘などにより流下方向を変更されながら下方へ流下することとなるが、その多くが変動表示装置４の上部に配された鎧部材７の上部に至る。この鎧部材７の上面は、大部分が左側へ下るような傾斜とされており、ここに流下した遊技球は主に遊技盤１の左側へと流下誘導される。
【０１０６】
鎧部材７の傾斜によって遊技球が誘導される遊技盤１の左側部においては、従来は遊技球誘導部１０が遊技盤本体１ｂの前面にあったことから、遊技球誘導部１０と変動表示装置４の間の狭い領域しか確保できず、単に遊技球を下方へ流下させるのみとなっていた。これに対し、本実施形態の弾球遊技機１００では、遊技球誘導部１０の大部分を遊技盤本体１ｂの後面側に配設することによって、その部位の前面に遊技領域１ａが拡大されており、多彩な流下態様が形成できるようにされている。また、従来よりも変動表示装置４を大型にすることも可能となり、より興趣の高い遊技機とすることが可能となっている。また、例えば、遊技領域形成部材１８に、その後方に配された遊技球誘導路１０の延在方向に沿って複数の発光部材（例えばＬＥＤ）を備え、発射球の移動に対応して発光部材を移動点滅することで発射状態を確認できるようにしても良い。
【０１０７】
そして、拡大された遊技領域１ａを形成する遊技領域形成部１８には、流下誘導部材１９が設けられ、これによって、遊技球の流下方向を遊技盤１の中央方向へ変更するようになっており、普通変動入賞装置３などへの入賞を可能としている。すなわち、左側方に拡大した遊技領域１ａを効率よく活用することが可能となっている。
【０１０８】
以上のことから、前面側に遊技領域１ａが形成された遊技盤１と、該遊技盤１の下方に配設されて遊技領域１ａに向けて遊技球を発射する発射装置１６０と、を備え、該遊技盤１に該発射装置１６０から発射された遊技球を遊技領域１ａの上方部に誘導する遊技球誘導部１０を備えた弾球遊技機１００において、遊技球誘導部１０は、遊技盤１の側方部に設けられ、発射装置１６０から発射された遊技球を上方に誘導する第１誘導部１０ａと、第１誘導部１０ａの上端部と連通し、該第１誘導部１０ａからの遊技球を遊技領域１ａの中央方向に誘導する湾曲状の第２誘導部１０ｂと、を備え、第１誘導部１０ａは遊技盤１の後面側に配設し、第２誘導部１０ｂは、遊技盤１の前面側に配設されて遊技球を遊技領域１ａに流出する遊技球流出口２５を有し、第１誘導部１０ａからの遊技球を遊技盤１の前面側に誘導するように前後に蛇行した蛇行誘導部４３を有することとなる。
【０１０９】
なお、第１誘導部１０ａは、遊技球を上方に誘導するとしているが、完全に鉛直方向に向いているものであっても良いし、完全に鉛直方向に向いていなくても良く、例えば、多少湾曲していても良い。また、第１誘導部１０ａは遊技盤１の後面側に配設されていれば良く、後面上に配設されるものの他、一部または全部が後面に埋設されているもの、後面から離れて（第２誘導部１０ｂとの接続部分を除いて）配設されるものも含む。
【０１１０】
次に、遊技球誘導部の第１変形例について図８を参照して説明する。なお、基本的には上述した実施形態における遊技球誘導部１０と同様の構成を有しており、同様の構成を有する部分については同じ符号を付して説明を省略する。
【０１１１】
本変形例の遊技球誘導部１０は、溝状の凹部１１の前壁１１ａに配される金属板３２のかわりに導電性樹脂５０を配している。このように導電性樹脂５０を用いることで、貫通流路構成部材３７の前方内側面４５と接続する上方端部近傍を曲面にすることができ、Ｓ字状の蛇行誘導部４３をより手前側から形成できるので、遊技球をより滑らかに誘導できるようになる。
【０１１２】
なお、導電性樹脂５０として透明な樹脂を用い、その前方部分の遊技盤本体１ｂ、さらにその前方に位置する遊技領域形成部１８を透明な部材で構成し、遊技盤本体１ｂの後面側に配設された遊技球誘導部１０を通過する遊技球を視認可能とするようにしても良い。これにより、発射された遊技球の確認をすることができるとともに遊技盤１の装飾の一部とすることができ、さらに、ファール球の発生など、遊技球誘導部１０内で発生した異常をより簡単に確認することができるようになる。
【０１１３】
次に、遊技球誘導部の第２変形例について図９を参照して説明する。なお、基本的には上述した実施形態における遊技球誘導部１０と同様の構成を有しており、同様の構成を有する部分については同じ符号を付して説明を省略する。
【０１１４】
本変形例の遊技球誘導部１０は、遊技球誘導部１０（第１誘導部１０ａ）を遊技盤本体１ｂの後面から離して設け、遊技球誘導部１０と遊技盤本体１ｂの後面との間に、遊技球が流下可能な流下流路６０が形成されている。そして、この流下流路６０の前面側の遊技領域１ａには入賞口６１が形成され、この入賞口６１に入賞した遊技球が流下流路６０に流入するようになっている。
【０１１５】
このように、遊技球誘導部１０と遊技盤本体１ｂの後面との間に流下流路６０を形成したことで、遊技盤本体１ｂの後面側に遊技球誘導部１０が配設された部位であっても、その前面側に形成された遊技領域１ａに入賞口を形成することが可能となり、より多彩な流下態様を形成できる。特に、遊技盤本体１ｂにおけるこの部分は、従来は遊技球誘導部１０が設けられていて遊技領域１ａとして利用できなかった部分であり、ここに入賞口６１を形成することでより興趣の高い遊技領域１ａを構成することができる。
【０１１６】
また、遊技盤本体１ｂの後面側において、遊技球誘導部１０と流下流路を前後に重ねた状態で配設でき、スペース的に有利となる。
【０１１７】
なお、遊技球誘導部１０と遊技盤本体１ｂの後面との間の空間は、流路の配設空間として利用するのに限られず、遊技球誘導部１０の前方に位置する遊技領域１ａに装飾装置や役物装置を配設するための空間として利用（例えば、駆動源や制御装置を配設する）しても良い。
【０１１８】
以上のような遊技機は、前面側に遊技領域１ａが形成された遊技盤１と、該遊技盤１の下方に配設されて遊技領域１ａに向けて遊技球を発射する発射装置１６０と、を備え、該遊技盤１に該発射装置１６０から発射された遊技球を遊技領域１ａの上方部に誘導する遊技球誘導部１０を備えた弾球遊技機１００であって、遊技球誘導部１０は、遊技盤１の側方部に設けられ、発射装置１６０から発射された遊技球を上方に誘導する第１誘導部１０ａと、第１誘導部１０ａの上方部と連通し、該第１誘導部１０ａからの遊技球を遊技領域１ａの中央方向に誘導する湾曲状の第２誘導部１０ｂと、を備え、第１誘導部１０ａは遊技盤１の後面側に配設し、第２誘導部１０ｂは、遊技盤１の前面側に配設されて遊技球を遊技領域１ａに流出する遊技球流出口２５を有し、第１誘導部１０ａからの遊技球を遊技盤１の前面側に誘導するように前後に蛇行した蛇行誘導部４３を有している。
【０１１９】
したがって、遊技球誘導部１０は、発射装置１６０からの遊技球を上方に誘導する第１誘導部１０ａと、第１誘導部１０ａからの遊技球を遊技領域１ａの中央方向に誘導する湾曲状の第２誘導部１０ｂとを備え、第１誘導部１０ａは遊技盤１の後面側に配設したので、第１誘導部１０ａの配設部分を遊技領域１ａとして確保することができる。
【０１２０】
また、第２誘導部１０ｂは、遊技盤１の前面側に配設されて遊技球を遊技領域１ａに流出する遊技球流出口２５を有し、第１誘導部１０ａからの遊技球を遊技盤１の前面側に誘導するように前後に蛇行した蛇行誘導部４３を有するので、安定して遊技球を誘導できる。すなわち、湾曲状の第２誘導部１０ｂでは、遊技球は第２誘導部１０ｂの外側の壁に接触しながら安定して進行するので、この部位で遊技球誘導部１０を蛇行させて遊技球を遊技盤１の前面側に誘導するようにしたことで、安定して遊技球を遊技盤１の後面から前面に誘導することができ、ムラ飛び等を防止できる。
【０１２１】
さらに、第１誘導部１０ａを遊技盤１の後面側に配設し、第２誘導部１０ｂで遊技球を遊技盤１の前面側に導くので、遊技球誘導部１０が遊技盤１の前面に突出する部分をなるべく上部にすることが可能となり、その下方に広く遊技領域１ａを確保することができる。
【０１２２】
また、第１誘導部１０ａにおける前後方向の所定範囲を遊技盤１の後面に埋設している。
【０１２３】
したがって、第１誘導部１０ａにおける前後方向の所定範囲を遊技盤１の後面に埋設したので、遊技盤１の後面から前面へ進行方向を変更する距離を短くでき、急激な流路変換等で遊技球が失速すること等を防止でき、安定した発射を実現できる。
【０１２４】
また、第１誘導部１０ａの前方壁部に金属板３２を設け、該金属板３２をアースしている。
【０１２５】
したがって、第１誘導部１０ａの前方壁部に金属板３２を設け、該金属板３２をアースしたので、第１誘導部１０ａにおける摩擦抵抗を軽減でき、遊技球をスムーズに誘導できるとともに、遊技球に帯電した静電気等を除去できる。
【０１２６】
また、第２誘導部１０ｂは、遊技盤１に形成された開口部１６に挿入される貫通流路構成部材３７と、貫通流路構成部材３７の前面側に配設されるとともに遊技領域１ａから前方に突出状態で設けられる流出口形成部材２４とから構成し、流出口形成部材２４は、その内側に貫通流路構成部材３７の流路からの遊技球を遊技領域１ａの面方向に誘導する前面誘導部２９が形成された前面壁部２４ａを有している。
【０１２７】
したがって、第２誘導部１０ｂは、遊技盤１に形成された開口部１６に挿入される貫通流路構成部材３７と、貫通流路構成部材３７の前面側に配設される流出口形成部材２４とから構成したので、遊技球を遊技盤１の前面側に誘導するように前後に蛇行した複雑な流路を確実に形成できる。また、前面誘導部２９により遊技球を遊技領域１ａの面方向に沿って発射することが可能となる。
【０１２８】
また、流出口形成部材２４は、遊技領域１ａに発射された遊技球が遊技球誘導部１０に戻るのを防止可能な可撓性を有する湾曲状の戻り球防止部材３０を備え、戻り球防止部材３０は、流出口形成部材２４の前面壁部２４ａ側から流路側に湾曲するように当該前面壁部２４ａに取り付けている。
【０１２９】
したがって、流出口形成部材２４は湾曲状の戻り球防止部材３０を備え、該戻り球防止部材３０を流出口形成部材２４の前面壁部２４ａ側から流路側に湾曲するように当該前面壁部２４ａに取り付けたので、確実に遊技球が遊技球誘導部１０に戻るのを防止できるとともに、遊技球を遊技領域１ａに誘導できる。すなわち、流出口形成部材２４内の遊技球は、前面誘導部２９で遊技領域１ａの面方向に進行方向が変更されるが、その後、戻り球防止部材３０の湾曲面の内側に沿って進行するため、戻り球防止部材３０においても遊技球を誘導することとなり、遊技領域１ａに向けて確実に遊技球を発射させることが可能となる。しかも、遊技球が誘導路内に戻ることも確実に防止できる。
【０１３０】
なお、本発明の弾球遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１３１】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３２】
【図１】本発明を適用した一実施の形態の構成を示す遊技機の正面図である。
【図２】前面枠の正面図である。
【図３】遊技盤の後面側であって、遊技球誘導部が形成された部分を示す分解斜視図である。
【図４】貫通流路構成部材の前面側を示す斜視図である。
【図５】遊技盤の前面側であって、遊技球誘導部が形成された部分を示す分解斜視図である。
【図６】（ａ）流出口形成部材の後面側を示す斜視図、（ｂ）流出口形成部材の変形例の後面側を示す斜視図である。
【図７】遊技球誘導部の上方端部近傍における側部断面図である。
【図８】遊技球誘導部の第１変形例を示す側部断面図である。
【図９】遊技球誘導部の第２変形例を示す側部断面図である。
【符号の説明】
【０１３３】
１      遊技盤
１ａ    遊技領域
１ｂ    遊技盤本体
１０    遊技球誘導部
１０ａ  第１誘導部
１０ｂ  第２誘導部
１１    凹部
１３    誘導部形成部材
１４    誘導傾斜部
１６    開口部
２４    流出口形成部材
２４ａ  前面壁部
２５    遊技球流出口
２９    前面誘導部
３０    戻り球防止部材
３２    金属板
３７    貫通流路形成部材
４３    蛇行誘導部
１００  弾球遊技機
１６０  発射装置
【図１】
2007215736.tif 000003
【図２】
2007215736.tif 000004
【図３】
2007215736.tif 000005
【図４】
2007215736.tif 000006
【図５】
2007215736.tif 000007
【図６】
2007215736.tif 000008
【図７】
2007215736.tif 000009
【図８】
2007215736.tif 000010
【図９】
2007215736.tif 000011